(57)【要約】  取り付けられた光指示式電気メータを伴う回路遮断器を備えた電気測定用の装置であり、この取り付けられた光指示式電気メータは、ユニットの前面に表示する。この電気メータは、ＬＥＤのライト又はＬＣＤディスプレイである光指示式ユニットを備えている。本発明に基づく回路遮断器は、回路遮断器ハウジング（１）、回路遮断器（２）、及び内蔵の光指示式電気メータ（３）と組み合わされている。それは、スイッチ（４）でコントロールされ、そのハウジングの背面に固定用ユニット（５）を有している。本回路遮断器への接続は、このハウジングの上部（６）及び下部（７）において、ネジでなされている。測定値は、目盛り（８）を備えた光インジケータによって本回路遮断器の前面に表示され、この目盛り（８）は、電気負荷の状態を指し示している。
2009524188.tif 000002
【特許請求の範囲】
【請求項１】
本発明に基づく回路遮断器であって、回路遮断器のハウジングに設置され、前記回路遮断器を通って流れる電気負荷を表示するために使用される特徴付けられた内蔵の光指示式電気メータを備えた回路遮断器。
【請求項２】
前記回路遮断器は、多相電源の使用のために構成した、請求項１に記載の本発明に基づく回路遮断器。
【請求項３】
回路遮断限界は、任意の利用可能な回路遮断器の遮断限界である、請求項１又は２に記載の本発明に基づく回路遮断器。
【請求項４】
前記回路遮断器は、１以上の特徴付けられた光指示式電気メータを保持する、請求項１から３の何れかに記載の本発明に基づく回路遮断器。
【請求項５】
光インジケータは、前記の回路遮断器ハウジング内部の様々な場所に設置可能である、請求項１から４の何れかに記載の本発明に基づく回路遮断器。
【請求項６】
ＬＥＤの光インジケータを使用して、又はＬＣＤモニタを使用することによって、回路遮断器における電気負荷を示し、前記ＬＥＤの光インジケータ及び前記ＬＣＤモニタは、前記回路遮断器における電気負荷を表示するためのものである、請求項１から５の何れかに記載の本発明に基づく回路遮断器。
【請求項７】
前記特徴付けられた光指示式電気メータは、前記回路遮断器のどのような形状のハウジングにおいても、前記回路遮断器のハウジングの内側に配置する、請求項１から６の何れかに記載の本発明に基づく回路遮断器。
【請求項８】
前記特徴付けられた光指示式電気メータは、１以上のライトを保持し、見る、請求項１から７の何れかに記載の本発明に基づく回路遮断器。
【請求項９】
光インジケータは、１つ以上の色のライトを表示する、請求項１から８の何れかに記載の本発明に基づく回路遮断器。
【請求項１０】
ユニットへの接続は、ネジ又は配線プラグイン式の接続で固定する、請求項１から９の何れかに記載の本発明に基づく回路遮断器。
【請求項１１】
ユニットは、電気的過負荷状況を信号音で通知する、請求項１から１０の何れかに記載の本発明に基づく回路遮断器。
【請求項１２】
回路遮断器において電気負荷を測定するための装置であって、請求項１から１１の何れかに記載の前記回路遮断器のハウジングにおいて設置した特徴付けられた光指示式電気メータを使用した装置。
【請求項１３】
内蔵の光指示式電気メータを使用する電力計、電圧計、又は電流計の何れかによって、回路遮断器において電気負荷を測定するための装置。
【発明の詳細な説明】
【技術分野】
【０００１】
本発明は、一般的に、電気的な安全及び回路の分野に関する。
【背景技術】
【０００２】
回路遮断器は、重要な安全機構である。名前が暗示するように、回路遮断器は、配線を通してあまりにも大きな電気が移動するときはいつでも、電力の流れを停止させる。電力がなくなることは、時には不便に思えるが、回路遮断器のこの機能は、遮断することにより電気的火災を防いでいる。結局のところ、家庭用電化製品に損傷が存在するときか又はあまりにも多くの家庭用電化製品が接続されているとき、壁が不適当に配線されているときか又は何らかの他の事故が回路間に危険な状況を作り出しているとき、回路遮断器は通常働き始める。公知の回路遮断器は、レバー及び電磁石を用いて回路を遮断、即ち開放している。基本的に、電気の危険なサージが生じたとき、この遮断器内の電磁石はより磁化され、そして回路を開放するスイッチを引き寄せることになる。他の回路遮断器は、スイッチに取り付けたバイメタルのストリップを用いている。過負荷が生じたとき、このストリップは曲がり、それによってこのスイッチを開放する。ｋｗｈ及びＫＶａｒｈの一方又は双方のメータ等の電気測定用ユニットは、単一の回路ベースで、又は回路ベースシリーズによる全体で使用されている電気を数値によって示すが、それらは、どの回路遮断器についても、負荷が低いか高いか又は更に高すぎるかという電気的負荷ステータスを示すことができない。また、これらのメータは、典型的には６０、８０、又は１００アンペア定格の取り外し可能なヒューズが差し込まれており、それゆえこれらのメータは、そのヒューズのサイズのために、典型的な回路遮断器ベースにおいて回路遮断器として使用することができない。公知の回路遮断器は、配線、機械及び器械に過負荷をかけることを、回路をアンペアで制限することによって防いでおり、例えば１０アンペアの回路遮断器は、そのアンペアの量を越えた場合、最終的に回路を遮断する。別個の電力計、電流計及び電圧計、又はＡＶＯメータは、回路遮断器において電気負荷を測定するために使用されてきた。これらのメータは、モニタ上のデジタル数値又は測定用光目盛り上の光の何れかによって、所望の結果を示している。
【発明の開示】
【発明が解決しようとする課題】
【０００３】
あらゆる施設、家庭、又は産業において電気は存在し、その電気は回路遮断器ベースに分割され、例えば照明器具及び電力デバイスが配線又はこれらのデバイスの電気的消費限界を確実に越えないようにしている。回路遮断器ベースに負荷が十分かかると、配線は回路が遮断されるまで発熱する。もし回路がすぐに遮断されないと、発熱した配線は、配線の絶縁体を溶かし、極端には火災危険を生じさせる。この危険は、回路が最終的に遮断されるまで、又は火災が発生するまで、何れにせよ不可視である。回路遮断器によって保護される、大量の電気を使用するプロ用機器を操作するとき、過負荷から安全であることを保障するよう、この機器が使用する電気負荷を監視することは極めて難しい。この回路遮断器の状態は、別個の測定用ユニットで測定を行うことなしには不可視である。回路遮断器における電気負荷を測定するため、別個の電力計、電流計及び電圧計、又はＡＶＯメータが使用されてきた。これらのメータを使用するために、正しい結果を得てそれらを理解するための多少のメータの知識を取得するか、又はあなたのために測定を行う専門家に頼らなければならない。その両方の場合において、探している結果を得るためには、時間とお金がかかることになる。
【課題を解決するための手段】
【０００４】
回路遮断器及び光指示式電気メータを組み合わせることにより、新たなデバイスを作り出す。特徴付けられた光指示式電気メータを回路遮断器ユニットに追加することにより、電気的状態をチェックし、この回路遮断器が流し使用する電気の量を監視することによって過負荷を防ぐための、簡単で、リスクフリーで、可視の手段を作り出し、また、時間と共に配線の絶縁に損傷を与え、そして破壊的な火災を引き起こす可能性のある配線のオーバーヒートを防ぐ。このユニットは、過負荷時に警告信号音を自動的に送出するよう構成するか、又は構成可能であり、回路の遮断の前に危険な状況を通知する。回路遮断器における、上記の特徴付けられた光指示式電気メータの目的は、家庭、産業上、又は商業上の建物における電気的セキュリティ・レベルを増加させることである。本発明の別の目的は、回路遮断器において使用される電気が高くなりすぎたかどうかをユーザが簡単にわかるようにし、極めて可視的でリスクフリーの簡単なやり方においてそれをすることである本目的は、ハウジングの前面に光指示式目盛りを備えた回路遮断器の内部に、特徴付けられた光指示式電気メータを配置することによって達成し、この光指示式目盛りは、この回路遮断器を見るだけで、この回路遮断器が担う負荷を、消費者に対してまさしく見えるようにするものである。この回路遮断器の内部において、上記の電気メータは、回路と共に１つの相に接続され、そしてこの相が伝える負荷を測定し、使用中の負荷を指し示す一連のライトを介して負荷を表示する。本ユニットの好適なバージョンにおいては、４つの緑色のライトと、２つの黄色のライトと、１つの赤色のライトとが点灯し、増大する負荷を指し示す。これら光インジケータは、負荷が高くなるにつれ点灯して、単一の回路遮断器毎にそれが担う負荷を監視することができるようになり、これら単一の回路遮断器は、使用中の負荷を監視しコントロールすることを可能にさせ、よって家又は任意の施設若しくは建物を電気的過負荷及び火災危険から、より安全なものにする。また、本発明の別の目的は、上記光インジケータがリスクのある回路ベースを可視化し、電気負荷が危険状態に達すると回路を遮断する前に上記警告信号音を通知するようにして、専門家のための電気的障害追跡及びメンテナンスをより簡単にすることである。
【発明の効果】
【０００５】
公知の回路遮断器に対する、本発明に基づく回路遮断器メータの有利な効果は、視覚的電気状態モニタリング能力、電気的過負荷に対する警告信号音能力、並びに電気的障害発見及びメンテナンス能力である。
【発明を実施するための最良の形態】
【０００６】
本発明に基づく回路遮断器は、回路遮断器ハウジング（１）、回路遮断器（２）及び光指示式電気メータ（３）と共に組み合わされている。それはスイッチ（４）でコントロールされ、このハウジングの背面に固定用ユニット（５）を有している。配線は、このハウジングの上部（６）及び下部（７）において、ネジでその回路遮断器に固定し、接続している。測定値は、目盛り又はモニタ（８）を備えた光インジケータによって、このハウジングの前面に表示する。
【０００７】
本発明は、電気測定式回路遮断器デバイスに関する。それは、安全デバイスである。本発明に基づく回路遮断器は、この回路遮断器及び特徴付けられた光指示式電気メータを保持する回路遮断器ハウジングと結合している。それはスイッチでコントロールされ、その回路遮断器ハウジングの背面に固定用ユニットを有している。配線は、この回路遮断器ハウジングの上部及び下部において、ネジ又は配線プラグ式の接続で、前記回路遮断器及び電気メータに固定し、接続している。本発明に基づく回路遮断器メータは、正常な回路条件下では電流をメークすること、伝えること、及びブレークすることが、特定の異常な条件下では電流をメークすること、及びブレークすることが可能なスイッチングデバイスとして使用し、この特定の異常な回路条件は、例えば回路の短絡及び電気的な過負荷の一方又は双方である。また、この回路遮断器メータは、スイッチがオンである間、使用中の電流電気的負荷を示す。上記の回路遮断器を介して流れる電気負荷を示す光インジケータ又はＬＣＤモニタによって、測定値は上記のハウジングの前面に表示する。この回路遮断器メータはまた、回路を遮断する前に、危険な過負荷状況を警告信号音と共に通知する。本発明に基づく回路遮断器は、何れにせよ、図面において示している回路遮断器の所与の見た目を限定するものではなく、多くの様々な形態及びサイズにおいて製造することが可能である。
【図面の簡単な説明】
【０００８】
【図１】本発明のハウジングの側面を示している。１は回路遮断器のハウジングを示している。２は前記回路遮断器の設置場所を示している。３は特徴付けられた電気メータの設置場所を示している。４は回路遮断器スイッチを示している。５は前記ハウジングの固定用ユニットを示している。６は前記ハウジングの上部の配線の接続を示している。７は前記ハウジングの下部の配線の接続を示している。８は光インジケータ又はモニタ及び目盛りを示している。
【図２ａ】ＬＥＤのライトを埋め込んだ四角形の光指示式電気メータ目盛り又はＬＣＤモニタを備えた、本発明の前面を示している。この目盛りは、正常状態としての緑色のライトと、警戒状態としての黄色のライトと、危険状態としての赤色のライトとを表している。
【図２ｂ】円形のＬＥＤの光指示式電気メータ目盛りを備えた、本発明の前面を示している。この目盛りは、正常状態としての緑色のライトと、警戒状態としての黄色のライトと、危険状態としての赤色のライトとを表している。
【図１】
2009524188.tif 000003
【図２ａ】
2009524188.tif 000004
【図２ｂ】
2009524188.tif 000005
【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングの固定用ユニットと、
配線接続部分と、
回路遮断器スイッチと
を備えた回路遮断器デバイスであって、
前記のデバイスは、電気的過負荷を警告するための、音及び光の一方又は双方の事前警報手段を有する電気メータを更に備えることを特徴とする、
回路遮断器デバイス。
【請求項２】
前記回路遮断器は、多相電源の使用のために構成した、請求項１に記載の本発明に基づく回路遮断器。
【請求項３】
回路遮断限界は、任意の利用可能な回路遮断器の遮断限界である、請求項１又は２に記載の本発明に基づく回路遮断器。
【請求項４】
前記回路遮断器は、１以上の特徴付けられた光指示式電気メータを保持する、請求項１から３の何れかに記載の本発明に基づく回路遮断器。
【請求項５】
光インジケータは、前記回路遮断器のハウジング内部の様々な場所に設置可能である、請求項１から４の何れかに記載の本発明に基づく回路遮断器。
【請求項６】
前記特徴付けられた光指示式電気メータは、前記回路遮断器のどのような形状のハウジングにおいても、前記回路遮断器のハウジングの内側に配置する、請求項１から５の何れかに記載の本発明に基づく回路遮断器。
【請求項７】
前記特徴付けられた光指示式電気メータは、１以上のライトを保持し、見る、請求項１から６の何れかに記載の本発明に基づく回路遮断器。
【請求項８】
光インジケータは、１つ以上の色において前記のライトを表示する、請求項１から７の何れかに記載の本発明に基づく回路遮断器。
【請求項９】
前記のユニットへの接続は、ネジ又は配線プラグイン式の接続で固定する、請求項１から８の何れかに記載の本発明に基づく回路遮断器。
【請求項１０】
回路遮断器において電気負荷を測定するための装置であって、請求項１から９の何れかに記載の前記回路遮断器のハウジングにおいて設置された特徴付けられた光指示式電気メータを使用した装置。
【国際調査報告】
2009524188.tif 000006
2009524188.tif 000007
2009524188.tif 000008